(57)【特許請求の範囲】
【請求項１】
互いに対向する前後胴周り域の間に股下域が位置し、それら胴周り域の重なり合う胴周り側部が連結されて胴周り開口と一対の脚周り開口とが画成されたパンツと、前記パンツの内側に位置して前記股下域を中心に前記前後胴周り域へ向かって延びる体液吸収性パッドとから構成された使い捨て着用物品において、
前記パッドが、前記パンツの胴周り方向へ延びる前後端縁部と、前記パンツの脚周り方向へ延びる両側縁部と、前記両側縁部に位置して前記脚周り方向へ延びる一対の伸縮性脚周り締着バンドとを有し、
前記脚周り締着バンドが、前記パンツの股下域に位置して前記パッドの両側縁部につながる中央部分と、前記パッドの前端縁部の側に位置して前記胴周り側部に向かって延びる第１自由部分と、前記パッドの後端縁部の側に位置して前記胴周り側部に向かって延びる第２自由部分とを有し、
前記第１自由部分の前端部と前記第２自由部分の後端部とが、前記パンツの脚周り開口近傍における前記胴周り側部に連結され、前記脚周り締着バンドの中央部分と第１および第２自由部分とが、前記パンツの脚周り開口に並行して実質的に環状を形成していることを特徴とする前記物品。
【請求項２】
前記パッドの前後端縁部が、前記パンツの前後胴周り域に連結されている請求項１記載の物品。
【請求項３】
前記パッドが、その前端縁部の両側から前記胴周り側部に向かって延びる一対の伸縮性第１吊持バンドと、その後端縁部の両側から前記胴周り側部に向かって延びる一対の伸縮性第２吊持バンドとを有し、前記第１吊持バンドの前端部と前記第２吊持バンドの後端部とが、前記パンツの胴周り開口近傍における前記胴周り側部に連結されている請求項１または請求項２に記載の物品。
【請求項４】
前記パンツが、実質的に不透液性のシートから形成され、前記パッドが、透液性表面シートと、不透液性裏面シートと、それらシートの間に介在する吸液性コアとから形成されている請求項１ないし請求項３いずれかに記載の物品。
【発明の詳細な説明】
【０００１】
【発明の属する技術分野】
本発明は、排泄物を吸収、保持する使い捨て着用物品に関する。
【０００２】
【従来の技術】
特開平９−７５３９０号公報は、互いに対向する前後胴周り域の間に股下域が位置し、それら胴周り域の重なり合う胴周り側部が連結されて胴周り開口と一対の脚周り開口とが画成されたパンツと、透液性表面シートと不透液性裏面シートとの間に吸液性コアが介在する体液吸収性パッドとから構成され、パッドがパンツの内側に取り付けられて股下域を中心に前後胴周り域へ向かって延びている使い捨て着用物品を開示している。
【０００３】
前記パンツは、前後胴周り域の中央部内側における胴周り縁部から股下域に向かって垂下する柔軟な吊持片を有する。吊持片の所要の部位には、それよりも高剛性の第１止着域が形成されている。前記パッドの前後端縁部には、それを形成する表裏面シートよりも高剛性であって、パンツの第１止着域に着脱可能な第２止着域が形成されている。この物品は、パッドの第２止着域をパンツの第１止着域に止着し、パッドをパンツの内側に取り付けてから着用する。
【０００４】
【発明が解決しようとする課題】
前記公報に開示の物品では、パッド自体が着用者の股間部に固定されることはなく、さらに、パッドの第２止着域を除く残余の領域がパンツから遊離して自由に動くことができるので、物品の着用中に、パッドが着用者の股間部を前後左右、特に左右にずれ動き易い。この物品では、着用者の股間部においてパッドがその着用位置を容易に変えてしまうので、パッドに吸収、保持されるべき尿や大便等の排泄物が着用者の股間部から漏れてしまう場合がある。
【０００５】
本発明の課題は、パッドが着用者の股間部においてずれ動き難く、着用者の股間部からの排泄物の漏れを防ぐことができる使い捨て着用物品を提供することにある。
【０００６】
【課題を解決するための手段】
前記課題を解決するための本発明の前提は、互いに対向する前後胴周り域の間に股下域が位置し、それら胴周り域の重なり合う胴周り側部が連結されて胴周り開口と一対の脚周り開口とが画成されたパンツと、前記パンツの内側に位置して前記股下域を中心に前記前後胴周り域へ向かって延びる体液吸収性パッドとから構成された使い捨て着用物品である。
【０００７】
かかる前提における本発明の特徴は、前記パッドが、前記パンツの胴周り方向へ延びる前後端縁部と、前記パンツの脚周り方向へ延びる両側縁部と、前記両側縁部に位置して前記脚周り方向へ延びる一対の伸縮性脚周り締着バンドとを有し、前記脚周り締着バンドが、前記パンツの股下域に位置して前記パッドの両側縁部につながる中央部分と、前記パッドの前端縁部の側に位置して前記胴周り側部に向かって延びる第１自由部分と、前記パッドの後端縁部の側に位置して前記胴周り側部に向かって延びる第２自由部分とを有し、前記第１自由部分の前端部と前記第２自由部分の後端部とが、前記パンツの脚周り開口近傍における前記胴周り側部に連結され、前記脚周り締着バンドの中央部分と第１および第２自由部分とが、前記パンツの脚周り開口に並行して実質的に環状を形成していることにある。
【０００８】
本発明の実施の態様の一例としては、前記パッドの前後端縁部が、前記パンツの前後胴周り域に連結されている。
【０００９】
本発明の実施の態様の他の一例としては、前記パッドが、その前端縁部の両側から前記胴周り側部に向かって延びる一対の伸縮性第１吊持バンドと、その後端縁部の両側から前記胴周り側部に向かって延びる一対の伸縮性第２吊持バンドとを有し、前記第１吊持バンドの前端部と前記第２吊持バンドの後端部とが、前記パンツの胴周り開口近傍における前記胴周り側部に連結されている。
【００１０】
本発明の実施の態様の他の一例としては、前記パンツが、実質的に不透液性のシートから形成され、前記パッドが、透液性表面シートと、不透液性裏面シートと、それらシートの間に介在する吸液性コアとから形成されている。
【００１１】
【発明の実施の形態】
添付の図面を参照し、本発明にかかる使い捨て着用物品の詳細を説明すると、以下のとおりである。
【００１２】
図１，２は、パンツを仮想線で示す物品１Ａの斜視図と、前後胴周り域２３，２５の連結を解除し、展開した状態で示す図１の物品１Ａの部分破断平面図とであり、図３は、着用状態で示す図１の物品１Ａの斜視図である。図１では、胴周り方向を矢印Ｘ、上下方向を矢印Ｙで示し、脚周り方向を矢印Ｚで示す。なお、表面シート１２と裏面シート１３との内面とは、コア１４に対向する面をいい、それらシート１２，１３の外面とは、コア１４に非対抗の面をいう。物品１Ａは、パンツ２と、パンツ２の内側に位置する体液吸収性パッド１１とから構成されている。
【００１３】
パンツ２は、互いに重なり合う実質的に不透液性の二枚のシート３，４から形成され、その平面形状が砂時計型を呈する。パンツ２は、互いに対向する前胴周り域２３および後胴周り域２５と、前後胴周り域２３，２５の間に位置する股下域２４とを有する。パンツ２では、前後胴周り域２３，２５の上下方向へ延びる胴周り側部５が合掌状に重なり合い、それら胴周り域２３，２５の胴周り側部５が上下方向へ間欠的に並ぶ複数条の熱融着線６を介して固着されている。パンツ２には、胴周り開口７と一対の脚周り開口８とが画成されている。
【００１４】
胴周り開口７の周縁部には、胴周り方向へ延びる複数条の胴周り用弾性部材９が伸長状態で取り付けられている。脚周り開口８の周縁部には、脚周り方向へ延びる帯状の脚周り用弾性部材１０が伸長状態で取り付けられている。胴周り用弾性部材９と脚周り用弾性部材１０とは、パンツ２を形成するシート３，４の間に介在し、それらシート３，４に固着されている。
【００１５】
パッド１１は、透液性表面シート１２と、不透液性裏面シート１３と、それらシート１２，１３の間に介在する吸液性コア１４とから形成されている。コア１４は、表面シート１２と裏面シート１３との少なくとも一方の内面に接合されている。
【００１６】
パッド１１は、パンツ２の股下域２４を中心として前後胴周り域２３，２５へ向かって延びている。パッド１１は、パンツ２の前胴周り域２３を胴周り方向へ延びる前端縁部１１ａと、パンツ２の後胴周り域２５を胴周り方向へ延びる後端縁部１１ｂと、脚周り方向へ延びる両側縁部１１ｃとを有する。パッド１１は、その両側縁部１１ｃに脚周り方向へ延びる一対の伸縮性脚周り締着バンド１５を有する。
【００１７】
パッド１１では、その前端縁部１１ａがパンツ２の前胴周り域２３に連結され、その後端縁部１１ｂがパンツ２の後胴周り域２５に連結されている。前端縁部１１ａと後端縁部１１ｂとでは、裏面シート１１の外面がパンツ２を形成するシート４に固着されている。
【００１８】
脚周り締着バンド１５は、パッド１１を形成する表面シート１２と裏面シート１３とから形成されている。脚周り締着バンド１５は、パンツ２の股下域２４に位置してパッド１１の両側縁部１１ｃ中央につながる中央部分１５ａと、パッド１１の両側縁部１１ｃから遊離する第１および第２自由部分１５ｂ、１５ｃとを有する。脚周り締着バンド１５には、脚周り方向へ延びる複数条の弾性部材１６が伸長状態で取り付けられている。弾性部材１６は、表面シート１２と裏面シート１３との間に介在し、それらシート１２，１３の内面に固着されている。
【００１９】
脚周り締着バンド１５の第１自由部分１５ｂは、パッド１１の前端縁部１１ａの側に位置して両側縁部１１ｃから胴周り側部５に向かって延びている。第１自由部分１５ｂは、その前端部１５ｄが脚周り開口８近傍における胴周り側部５に連結されている。脚周り締着バンド１５の第２自由部分１５ｃは、パッド１１の後端縁部１１ｂの側に位置して両側縁部１１ｃから胴周り側部５に向かって延びている。第２自由部分１５ｃは、その後端部１５ｅが脚周り開口８近傍における胴周り側部５に連結されている。脚周り締着バンド１５では、その中央部分１５ａと第１および第２自由部分１５ｂ，１５ｃとがパンツ２の脚周り開口８に並行して実質的に環状を形成している。
【００２０】
図２では、第１自由部分１５ｂがパッド１１の両側縁部１１ｃから前胴周り域２３の胴周り側部５に向かって延び、第１自由部分１５ｂの前端部１５ｄが股下域２４の側における前胴周り域２３の胴周り側部５に連結されている。図２では、第２自由部分１５ｃがパッド１１の両側縁部１１ｃから後胴周り域２５の胴周り側部５に向かって延び、第２自由部分１５ｃの後端部１５ｅが股下域２４の側における後胴周り域２５の胴周り側部５に連結されている。第１自由部分１５ｂの前端部１５ｄと第２自由部分１５ｃの後端部１５ｅとでは、脚周り締着バンド１５を形成する裏面シート１３の外面がパンツ２を形成するシート４に固着されている。
【００２１】
着用者が物品１Ａを着用するには、パンツ２の胴周り開口７に通した両脚を脚周り締着バンド１５が形成する環の中に通すとともに、パンツ２の脚周り開口７に通し、その後、パンツ２を腰部に引き上げる。
【００２２】
物品１Ａでは、それを着用したときに、脚周り締着バンド１５が着用者の脚周りを囲繞するとともに、それが着用者の脚周りに密着し、パッド１１が脚周り締着バンド１５を介して着用者の股間部に固定される。ゆえに、物品１Ａでは、パンツ２が着用者の動作によってずれ動いたとしても、パッド１１が着用者の股間部を前後左右にずれ動き難く、その着用位置を容易に変えることはないので、尿や大便等の排泄物がパッド１１に確実に吸収、保持され、排泄物が着用者の股間部から漏れてしまうことを防ぐことができる。
【００２３】
図４，５は、パンツを仮想線で示す他の実施の形態の物品１Ｂの斜視図と、前後胴周り域２３，２５の連結を解除し、展開した状態で示す図４の物品１Ｂの部分破断平面図とであり、図６は、着用状態で示す図４の物品１Ｂの斜視図である。この物品１Ｂは、パンツ２と、パンツ２の内側に位置する体液吸収性パッド１１とから構成され、脚周り方向へ延びる一対の伸縮性脚周り締着バンド１５を有する点において、図１のそれと同一である。物品１Ｂが図１のそれと異なる点は、以下のとおりである。
【００２４】
この物品１Ｂでは、パッド１１が一対の伸縮性第１吊持バンド１９と一対の伸縮性第２吊持バンド２０とを有し、パッド１１がそれら吊持バンド１９，２０を介してパンツ２に連結されている。物品１Ｂでは、パッド１１の前後端部１１ａ，１１ｂがパンツ２の前後胴周り域２３，２５に連結されていない。
【００２５】
パンツ２は、互いに重なり合う実質的に不透液性かつ伸縮性のシート１７，１８から形成され、その平面形状が砂時計型を呈する。胴周り開口７の周縁部には、複数条の胴周り用弾性部材９が伸長状態で取り付けられている。脚周り開口８の周縁部には、帯状の脚周り用弾性部材１０が伸長状態で取り付けられている。
【００２６】
第１および第２吊持バンド１９，２０は、パッド１１を形成する表面シート１２と裏面シート１３とから形成されている。それら吊持バンド１９，２０には、脚周り方向へ延びる複数条の弾性部材２１，２２が伸長状態で取り付けられている。弾性部材２１，２２は、表面シート１２と裏面シート１３との間に介在し、それらシート１２，１３の内面に固着されている。
【００２７】
第１吊持バンド１９は、パッド１１の前端縁部１１ａの両側から胴周り側部５に向かって延びている。第１吊持バンド１９は、パッド１１の前端縁部１１ａの両側につながる基端部１９ａと、胴周り開口７近傍における胴周り側部５に連結された前端部１９ｂとを有する。
【００２８】
第２吊持バンド２０は、パッド１１の後端縁部１１ｂの両側から胴周り側部５に向かって延びている。第２吊持バンド２０は、パッド１１の後端縁部１１ｂの両側につながる基端部２０ａと、胴周り開口７近傍における胴周り側部５に連結された後端部２０ｂとを有する。
【００２９】
図５では、第１吊持バンド１９が脚周り締着バンド１５の第１自由部分１５ｂの前方に位置して前胴周り域２３の胴周り側部５に向かって延び、その前端部１９ｂが前胴周り域２３の端部の側における胴周り側部５に連結されている。図５では、第２吊持バンド２０が脚周り締着バンド１５の第２自由部分１５ｃの後方に位置して後胴周り域２５の胴周り側部５に向かって延び、その後端部２０ｂが後胴周り域２５の端部の側における胴周り側部５に連結されている。第１吊持バンド１９の前端部１９ｂと第２吊持バンド２０の後端部２０ｂとでは、それらバンド１９，２０を形成する裏面シート１３の外面がパンツ２を形成するシート１８に固着されている。
【００３０】
この物品１Ｂでは、パッド１１がそれら吊持バンド１９，２０によってパンツ２の内側に吊下げられているので、パンツ２の股下域２４においてパッド１１がパンツ２の内側から胴周り開口７へ向かって持ち上げられる。ゆえに、物品１Ｂでは、パッド１１を着用者の股間部に密着させることができる。物品１Ｂでは、パッド１１が脚周り締着バンド１５によって着用者の股間部に固定されているので、パンツ２が着用者の動作によってずれ動いたとしても、パッド１１が着用者の股間部を前後左右にずれ動き難く、その着用位置を容易に変えることはない。物品１Ｂでは、パッド１１を着用者の股間部に密着させつつ、尿や大便等の排泄物をパッド１１に確実に吸収、保持させることができる。
【００３１】
この物品１Ｂでは、脚周り締着バンド１５の第１および第２自由部分１５ｂ，１５ｃにおける前後端部１５ｄ，１５ｅと第１および第２吊持バンド１９，２０の前後端部１９ｂ，２０ｂとが胴周り側部５に連結されているので、前後胴周り域２３，２５の胴周り側部５を除く残余の領域の伸縮性がそれらバンド１５，１９，２０によって拘束されることはなく、パンツ２の伸縮性を有効に利用して着用者の胴部を締め付けることができる。
【００３２】
表面シート１２には、親水性繊維不織布、または、微細な多数の開孔を有するプラスチックフィルムを使用することができる。図１のパンツ２を形成するシート３，４や裏面シート１３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。
【００３３】
図１のパンツ２を形成するシート３，４や裏面シート１３には、高い耐水性を有するメルトブローン法による繊維不織布を、高い強度を有しかつ柔軟性に富んだスパンボンド法による繊維不織布で挟んだ複合不織布を使用することもできる。
【００３４】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００３５】
それら図示例の物品１Ａ，１Ｂでは、脚周り締着ベルト１５と第１および第２吊持１９，２０とがパッド１１を形成する表面シート１２と裏面シート１３とからなり、パッド１１に一連につながっているが、それらベルト１５，１９，２０がパッド１１とは別個独立のシートから形成されていてもよい。この場合では、脚周り締着ベルト１５の中央部１５ａがパッド１１の両側縁部１１ｃ中央に連結され、第１および第２吊持ベルト１９，２０の基端部１９ａ，２０ａがパッド１１の前後端縁部１１ａ，１１ｂの両側に連結される。
【００３６】
それらベルト１５，１９，２０がパッド１１とは別個独立のシートから形成されている場合におけるそのシートとしては、弾性部材を伸長状態で取り付けた裏面シート１３と同様の素材、または、伸縮性を有するシートを使用することが好ましい。
【００３７】
図４のパンツ２を形成するシート１７，１８やそれらベルト１５，１９，２０を形成する伸縮性シートには、伸縮性かつ疎水性の繊維不織布、伸縮性かつ不透液性のプラスチックフィルム、伸縮性かつ疎水性の繊維不織布を重ね合わせた２層の不織布、それぞれ伸縮性を有する疎水性の繊維不織布と不透液性のプラスチックフィルムとをラミネートした複合シートのいずれかを使用することができる。
【００３８】
伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。また、熱可塑性エラストマー樹脂繊維からなる疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を貼り合わせた複合不織布を使用することもできる。
【００３９】
図１の物品１Ａでは、図４のそれと同様に、パンツ２が伸縮性を有するシート１７，１８から形成されていてもよい。図１の物品１Ａでは、パッド１１の前後端部１１ａ，１１ｂがパンツ２の前後胴周り域２３，２５に連結されていなくてもよい。
【００４０】
それら物品１Ａ，１Ｂでは、前後胴周り域２３，２５の胴周り側部５があらかじめ固着されたパンツ２を例示しているが、パンツ２が物品１Ａ，１Ｂの着用時に前後胴周り域２３，２５を連結するオープンタイプのものであってもよい。オープンタイプのパンツ２では、後胴周り域２５における胴周り側部５に一対のテープファスナが取り付けられ、前胴周り域２３におけるシート３，１７の外面にテープファスナの止着域となるターゲットテープが取り付けられる。オープンタイプのパンツ２では、テープファスナの自由端部をターゲットテープに止着し、前後胴周り域２３，２５を連結することで胴周り開口と一対の脚周り開口とが画成される。
【００４１】
コア１４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア１４は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００４２】
表裏面シート１２，１３の固着や脚周り締着ベルト１５の固着、第１および第２吊持ベルト１９，２０の固着、弾性部材９，１０，１６，２１，２２の固着、コア１４の接合には、ホットメルト型接着剤、または、ヒートシールや超音波接合等の熱による溶着手段を使用することができる。
【００４３】
【発明の効果】
本発明にかかる使い捨て着用物品によれば、それを着用したときに、伸縮性脚周り締着バンドが着用者の脚周りを囲繞するとともに、それが着用者の脚周りに密着し、パッドが着用者の股間部に脚周り締着バンドを介して固定される。この物品では、パンツが着用者の動作によってずれ動いたとしても、パッドが着用者の股間部を前後左右にずれ動き難く、着用者の股間部においてパッドがその着用位置を容易に変えることはない。この物品では、尿や大便等の排泄物がパッドに確実に吸収、保持され、排泄物が着用者の股間部から漏れてしまうことを防ぐことができる。
【００４４】
第１および第２締着バンドの他に、伸縮性第１吊持バンドと伸縮性第２吊持バンドとを有する物品では、パッドが吊持バンドによってパンツの内側に吊下げられ、パンツの股下域においてパッドがパンツの内側から胴周り開口へ向かって持ち上げられるので、パッドを着用者の股間部に密着させることができる。この物品では、パッドを着用者の股間部に密着させつつ、尿や大便等の排泄物をパッドに確実に吸収、保持させることができる。
【図面の簡単な説明】
【図１】パンツを仮想線で示す物品の斜視図。
【図２】展開した状態で示す図１の物品の部分破断平面図。
【図３】着用状態で示す図１の物品の斜視図。
【図４】パンツを仮想線で示す他の実施の形態の物品の斜視図。
【図５】展開した状態で示す図４の物品の部分破断平面図。
【図６】着用状態で示す図４の物品の斜視図
【符号の説明】
１Ａ，１Ｂ        使い捨て着用物品
２                パンツ
３，４            シート
５                胴周り側部
７                胴周り開口
８                脚周り開口
１１                体液吸収性パッド
１１ａ              前端縁部
１１ｂ              後端縁部
１１ｃ              両側縁部
１２                透液性表面シート
１３                不透液性裏面シート
１４                吸液性コア
１５                伸縮性脚周り締着バンド
１５ａ              中央部分
１５ｂ              第１自由部分
１５ｃ              第２自由部分
１５ｄ              前端部
１５ｅ              後端部
１７，１８          シート
１９                伸縮性第１吊持バンド
１９ｂ              前端部
２０                伸縮性第２吊持バンド
２０ｂ              後端部
２３                前胴周り域
２４                股下域
２５                後胴周り域
【図１】
0003696114.tif 000002
【図２】
0003696114.tif 000003
【図３】
0003696114.tif 000004
【図４】
0003696114.tif 000005
【図５】
0003696114.tif 000006
【図６】
0003696114.tif 000007